(57)【特許請求の範囲】
【請求項１】
第１コネクタプラグ及び第２コネクタプラグと、
前記第１コネクタプラグと前記第２コネクタプラグとを接続するアダプタと、
前記第１コネクタプラグを収容する第１ハウジングと、
前記第２コネクタプラグ及び前記アダプタを収容する第２ハウジングとを備え、
前記第１ハウジングは、前記第２ハウジングに係合する係止部をもったラッチ片を有し、
前記ラッチ片には、前記第１コネクタプラグ側に突出した突起が設けられており、
前記突起は、前記第２ハウジングに対する前記係止部の係合を解除する方向に前記ラッチ片を弾性変形させたときに前記第１コネクタプラグに係合されることによって、前記アダプタに対する前記第１コネクタプラグの着脱と前記第２ハウジングに対する前記第１ハウジングの着脱とを一括して行うことができるように構成されていることを特徴とする光コネクタ。
【請求項２】
前記第１コネクタプラグの対向する２つの側面には、前記第１コネクタプラグを前記アダプタに対して着脱する際に掴むためのツマミ部がそれぞれ設けられ、
前記突起は、前記第１コネクタプラグ側に１対突出しており、
前記１対の突起は、前記第２ハウジングに対する前記係止部の係合を解除する方向に前記ラッチ片を弾性変形させたときに前記各ツマミ部を挟持するように構成されていることを特徴とする請求項１記載の光コネクタ。
【請求項３】
前記第１コネクタプラグは、前記アダプタに嵌合した状態にあるときに前記アダプタに対してラッチするためのラッチアームを有し、
前記ラッチアームは、押し込むことで前記アダプタに対するラッチが解除可能であり、
前記突起は、前記第２ハウジングに対する前記係止部の係合を解除する方向に前記ラッチ片を弾性変形させたときに前記ラッチアームを押し込むように構成されていることを特徴とする請求項１記載の光コネクタ。
【発明の詳細な説明】
【技術分野】
【０００１】
本発明は、光通信等において使用される光コネクタに関するものである。
【背景技術】
【０００２】
従来の光コネクタとしては、例えば特許文献１に記載されているように、光ファイバを保持したフェルールを有する２つのコネクタプラグと、これらのコネクタプラグ同士を接続するアダプタとを備えたものが知られている。
【特許文献１】特開平２―３３１１０号公報
【発明の開示】
【発明が解決しようとする課題】
【０００３】
近年では、例えば車載ＬＡＮに光ファイバを組み込むという要求が高まっているが、車載環境はとても厳しいものであるため、従来の光コネクタをそのまま使用することは出来なかった。具体的には、車両の中に入れる部品としては、天候（雨、雪）や洗車等を考えると防水性が必要であり、更には車両の走行中に生じる振動や、車両の各部品が密に配置されているという狭い環境下で光コード等の配線を行うことを考えると、耐引張り性が必要となってくる。しかし、従来の光コネクタは、そのような防水性及び耐引張り性については全く考慮されていない構造となっている。さらに、コネクタプラグがアダプタに対して容易に着脱できるような構造となっている必要もある。
【０００４】
本発明の目的は、防水性、耐引張り性及び着脱容易性に優れた光コネクタを提供することである。
【課題を解決するための手段】
【０００５】
本発明の光コネクタは、第１コネクタプラグ及び第２コネクタプラグと、第１コネクタプラグと第２コネクタプラグとを接続するアダプタと、第１コネクタプラグを収容する第１ハウジングと、第２コネクタプラグ及びアダプタを収容する第２ハウジングとを備え、第１ハウジングは、第２ハウジングに係合する係止部をもったラッチ片を有し、ラッチ片には、第１コネクタプラグ側に突出した突起が設けられており、突起は、第２ハウジングに対する係止部の係合を解除する方向にラッチ片を弾性変形させたときに第１コネクタプラグに係合されることによって、アダプタに対する第１コネクタプラグの着脱と第２ハウジングに対する第１ハウジングの着脱とを一括して行うことができるように構成されていることを特徴とするものである。
【０００６】
このような光コネクタにおいて、第１コネクタプラグと第２コネクタプラグとがアダプタを介して接続された状態では、第１コネクタプラグが第１ハウジングに覆われ、第２コネクタプラグ及びアダプタが第２ハウジングに覆われることになる。このため、例えば光コネクタが車両に備え付けられた場合でも、第１コネクタプラグ、第２コネクタプラグ及びアダプタの内部に水、洗浄液や埃等が入りにくくなり、優れた防水性及び防塵性が確保される。また、第１コネクタプラグと第２コネクタプラグとがアダプタを介して接続された状態では、第１ハウジングに設けられたラッチ片の係止部が第２ハウジングに係合（ラッチ）し、第１ハウジングと第２ハウジングとがロック状態となる。このため、光コネクタに外側から引張り力が加わったときに、第１コネクタプラグ及び第２コネクタプラグには力がかかりにくくなり、優れた耐引張り性が確保される。
【０００７】
さらに、そのような第１コネクタプラグと第２コネクタプラグとが接続された状態の光コネクタにおいて、第１コネクタプラグをアダプタから取り外すときは、ラッチ片を弾性変形させて、第２ハウジングに対する係止部の係合（ラッチ）を解除する。このとき、ラッチ片に設けられた突起が第１コネクタプラグに係合するため、第１ハウジングを指で掴んだ状態で、第１ハウジングを第１コネクタプラグと一緒に第２ハウジングから離すと、第１コネクタプラグがアダプタから抜けるようになる。このように第１コネクタプラグ及び第１ハウジングを一括して取り外すので、第１ハウジングを第２ハウジングから離し、更に第１コネクタプラグをアダプタから抜き出すというように、第１コネクタプラグ及び第２ハウジングを別々に取り外す場合に比べて、光コネクタの着脱容易性が高くなる。
【０００８】
好ましくは、第１コネクタプラグの対向する２つの側面には、第１コネクタプラグをアダプタに対して着脱する際に掴むためのツマミ部がそれぞれ設けられ、突起は、第１コネクタプラグ側に１対突出しており、１対の突起は、第２ハウジングに対する係止部の係合を解除する方向にラッチ片を弾性変形させたときに各ツマミ部を挟持するように構成されている。このようにラッチ片を弾性変形させて、第２ハウジングに対する係止部の係合を解除したときには、第１コネクタプラグのツマミ部が１対の突起により挟持されるので、その状態で第１ハウジングを第２ハウジングから離すと、これと一緒に第１コネクタプラグがアダプタから簡単かつ確実に抜けるようになる。
【０００９】
また、第１コネクタプラグは、アダプタに嵌合した状態にあるときにアダプタに対してラッチするためのラッチアームを有し、ラッチアームは、押し込むことでアダプタに対するラッチが解除可能であり、突起は、第２ハウジングに対する係止部の係合を解除する方向にラッチ片を弾性変形させたときにラッチアームを押し込むように構成されていても良い。このようにラッチ片を弾性変形させて、第２ハウジングに対する係止部の係合を解除したときには、第１コネクタプラグのラッチアームが突起により押し込まれ、アダプタに対する第１コネクタプラグのラッチが解除される。従って、その状態で第１ハウジングを第２ハウジングから離すと、これと一緒に第１コネクタプラグがアダプタから簡単かつ確実に抜けるようになる。
【発明の効果】
【００１０】
本発明によれば、防水性、耐引張り性及び着脱容易性に優れた光コネクタを得ることができる。これにより、光コネクタを車両等の厳しい環境で使用した場合でも、高信頼性を実現することが可能となる。
【発明を実施するための最良の形態】
【００１１】
以下、本発明に係る光コネクタの好適な実施形態について図面を参照して詳細に説明する。
【００１２】
図１は、本発明に係る光コネクタの第１実施形態を示す断面図である。同図において、本実施形態の光コネクタ１は、光コード付きのコネクタプラグ２，３と、これらのコネクタプラグ２，３同士を接続するアダプタ４と、コネクタプラグ２を収容する内側ハウジング５と、コネクタプラグ３及びアダプタ４を収容する外側ハウジング６とを備えている。なお、図１では、便宜上、コネクタプラグ２，３及びアダプタ４の側面を示すと共に、内側ハウジング５及び外側ハウジング６の断面を示している。
【００１３】
コネクタプラグ２，３は、図２に示すようにＳＣコネクタと称されるものである。コネクタプラグ２，３は、光コード７の外皮から露出された光ファイバを保持するプラグ本体８と、このプラグ本体８を収容するハウジング９とを有している。プラグ本体８はジルコニア等で形成され、ハウジング９はプラスチック等で形成されている。ハウジング９の両側面には、コネクタプラグ２，３をアダプタ４に対して着脱（抜き差し）する際に指で掴むためのツマミ部９ａがそれぞれ設けられている。ツマミ部９ａは、粗面化されている。
【００１４】
アダプタ４はハウジング１０を有し、このハウジング１０には、コネクタプラグ２，３とそれぞれ嵌合する２つのプラグ収容部１１が形成されている。アダプタ４は、例えばハウジング９と同じプラスチックで形成されている。また、ハウジング１０の内部には、図３に示すように、プラグ収容部１１に差し込まれたコネクタプラグ２，３のプラグ本体８と嵌合するスリーブ２１が設けられている。
【００１５】
内側ハウジング５は、コネクタプラグ２をアダプタ４に対して着脱するように外側ハウジング６に着脱自在に支持される。内側ハウジング５は、図４に示すように断面略矩形状のハウジング本体１２を有し、このハウジング本体１２の内部には、コネクタプラグ２が収容されている。ハウジング本体１２の前端側の開口１２ａは、アダプタ４の外形に対応した矩形状を呈し、アダプタ４の外形寸法よりも僅かに大きい寸法を有している。これにより、図１に示すように、アダプタ４の一部をハウジング本体１２内に収容することができる。そして、ハウジング本体１２内に収容されたアダプタ４に隣接した位置において、ハウジング本体１２の内壁面とコネクタプラグ２との間には、ゴムまたはプラスチック等からなるシール部材２２が介在されている。
【００１６】
ハウジング本体１２の後端側の開口１２ｂは、例えば円形状を呈し、光コード７のブーツ７ａの最大外径よりも僅かに大きい径を有している。ハウジング本体１２の内壁面とブーツ７ａとの間には、ゴムまたはプラスチック等からなるシール部材１３が介在されている。
【００１７】
ハウジング本体１２の上部には、ハウジング本体１２の後端側に延在し、内側ハウジング５を外側ハウジング６に対してラッチするためのラッチ片１４が結合されている。ラッチ片１４には、上面に開口し、外側ハウジング６と係合する係止凹部１５が形成されている。また、ラッチ片１４の先端部には、ラッチ片１４の付勢力に抗してラッチ片１４をハウジング本体１２側に弾性変形させるための押付部１６が設けられている。
【００１８】
ラッチ片１４の裏面には、ハウジング本体１２内に収容されたコネクタプラグ２側に突出した１対の係合突起１７が設けられている。これらの係合突起１７は、ラッチ片１４をハウジング本体１２側に弾性変形させたときにコネクタプラグ２の各ツマミ部９ａを挟持するように構成されている（図７参照）。
【００１９】
外側ハウジング６の内部には、コネクタプラグ３がアダプタ４の一方のプラグ収容部１１に嵌合した状態で収容されている。外側ハウジング６の前端側部分には、内側ハウジング５が挿入されるハウジング収容部１８が形成されている。外側ハウジング６の前端側の開口６ａは、内側ハウジング５の外形に対応した矩形状を呈している。ハウジング収容部１８における内側ハウジング５のハウジング本体１２が突き当たる部分において、外側ハウジング６の内壁面とアダプタ４との間には、ゴムまたはプラスチック等からなるシール部材２３が介在されている。
【００２０】
外側ハウジング６の前端部の内壁面には、ラッチ片１４の係止凹部１５と係合する係止凸部１９が設けられている。この係止凸部１９がラッチ片１４の係止凹部１５に入り込んで係止凹部１５の一側面に引っ掛かることで、内側ハウジング５が外側ハウジング６に対してラッチ状態となる。そして、その状態でラッチ片１４をハウジング本体１２側に弾性変形させると、外側ハウジング６に対する内側ハウジング５のラッチ状態が解除される。
【００２１】
外側ハウジング６の後端側の開口６ｂは、例えば円形状を呈し、光コード７のブーツ７ａの最大外径よりも僅かに大きい径を有している。外側ハウジング６の内壁面とブーツ７ａとの間には、ゴムまたはプラスチック等からなるシール部材２０が介在されている。
【００２２】
内側ハウジング５及び外側ハウジング６は、例えばハウジング９と同じプラスチックで形成されている。
【００２３】
コネクタプラグ２，３同士がアダプタ４を介して接続されている状態では、図１に示すように、コネクタプラグ２とアダプタ４の一部とが内側ハウジング５に覆われると共に、コネクタプラグ３とアダプタ４と内側ハウジング５の一部とが外側ハウジング６に覆われる。つまり、コネクタプラグ２，３及びアダプタ４は、内側ハウジング５及び外側ハウジング６によって保護されている。
【００２４】
これに加え、内側ハウジング５のハウジング本体１２とコネクタプラグ２とアダプタ４の先端との間にはシール部材２２が介在されていると共に、外側ハウジング６と内側ハウジング５の前端とアダプタ４との間にはシール部材２３が介在されている。また、内側ハウジング５のハウジング本体１２と光コード７のブーツ７ａとの間にはシール部材１３が介在されていると共に、外側ハウジング６と光コード７のブーツ７ａとの間にはシール部材２０が介在されている。
【００２５】
従って、例えば車両の中のような環境に光コネクタ１を備え付けた場合でも、雨水、洗車時に使用する洗浄液、埃などが容易にコネクタプラグ２，３及びアダプタ４に入り込むことは無い。なお、図３に示すように、コネクタプラグ２内においてアダプタ４のスリーブ２１の先端が接触する部分にも、シール部材２４を設けると更に好ましい。
【００２６】
また、図１に示すような状態では、内側ハウジング５のラッチ片１４に形成された係止凹部１５に外側ハウジング６の係止凸部１９が嵌まることで、内側ハウジング５と外側ハウジング６とがロックされるようになる。このため、例えば車両の中に光コネクタ１を備え付けた場合に、車両の走行中の振動等により光コネクタ１に外側から引張り力が加わっても、内部のコネクタプラグ２，３には殆ど力がかからないため、コネクタプラグ２がアダプタ４から抜け出ることは無い。
【００２７】
コネクタプラグ２をアダプタ４から外すときは、図５に示すように、まずラッチ片１４の押付部１６を指で押し込み、ラッチ片１４をハウジング本体１２側に弾性変形させることにより、外側ハウジング６に対する内側ハウジング５のラッチ（ロック）状態を解除する。このとき、ラッチ片１４の弾性変形に連動して、ラッチ片１４の裏面に設けられた１対の係合突起１７が下がり、各係合突起１７によりコネクタプラグ２のツマミ部９ａが挟み込まれるようになる（図７参照）。
【００２８】
そして、その状態を保ったまま、図６に示すように、内側ハウジング５を指で掴んで外側ハウジング６から引き抜く。このとき、コネクタプラグ２は１対の係合突起１７により挟持された状態となっているので、内側ハウジング５が外側ハウジング６から引き抜かれるのと同時に、コネクタプラグ２がアダプタ４の一方のプラグ収容部１１から抜き出されるようになる。つまり、コネクタプラグ２と内側ハウジング５とを一括して取り外すことができる。
【００２９】
コネクタプラグ２をアダプタ４に付けるときは、内側ハウジング５を持って、外側ハウジング６のハウジング収容部１８に押し込むことにより、ラッチ片１４をハウジング本体１２側に弾性変形させ、１対の係合突起１７によりコネクタプラグ２を挟持する。そして、その状態を保ったまま、更に内側ハウジング５を外側ハウジング６のハウジング収容部１８に押し入れて、コネクタプラグ２をアダプタ４の一方のプラグ収容部１１に差し込む。これにより、図１に示すようにラッチ片１４が初期状態に戻り、ラッチ片１４によって内側ハウジング５が外側ハウジング６に対してラッチされた状態となる。
【００３０】
以上のように本実施形態によれば、コネクタプラグ２を収容する内側ハウジング５と、コネクタプラグ３とアダプタ４とを収容すると共に、内側ハウジング５の一部が挿入・収容されるハウジング収容部１８を有する外側ハウジング６とを設けたので、コネクタプラグ２，３同士がアダプタ４を介して接続された状態において、車載環境に耐え得るような高い防水性及び防塵性を有する光コネクタ１を得ることができる。
【００３１】
また、内側ハウジング５にラッチ片１４を設け、コネクタプラグ２，３同士がアダプタ４を介して接続された状態では、内側ハウジング５を外側ハウジング６に対してラッチするようにしたので、光コネクタ１の耐引張り性が高くなる。
【００３２】
さらに、ラッチ片１４の裏面に、外側ハウジング６に対する内側ハウジング５のラッチを解除する方向にラッチ片１４を弾性変形させたときにコネクタプラグ２を挟持する１対の係合突起１７を設けたので、アダプタ４に対するコネクタプラグ２の着脱と外側ハウジング６に対する内側ハウジング５の着脱とを一括して行うことができる。これにより、コネクタプラグ２及び内側ハウジング５の着脱を容易に行うことが可能となる。
【００３３】
また、コネクタプラグ２，３として既存のＳＣコネクタを使用し、アダプタ４としてＳＣコネクタに適合した既存のものを使用するので、コネクタプラグ２，３のプラグ本体８同士の高い接続精度が保証される。また、コネクタプラグ及びアダプタを新たに設計・製作する必要がなく、内側ハウジング５、外側ハウジング６及びシール部材２４を別途設けるだけで、防水性、防塵性、耐引張り性及び着脱容易性の良好な光コネクタ１が実現可能となるため、コスト的にも有利である。
【００３４】
図８は、本発明に係る光コネクタの第２実施形態を示す断面図である。本実施形態では、第１実施形態の光コネクタ１とは異なるタイプのコネクタプラグ及びアダプタを使用し、これに伴って内側ハウジング及び外側ハウジングの構造を変えている。図中、第１実施形態と同一または同等の部材には同じ符号を付し、その説明を省略する。
【００３５】
同図において、本実施形態の光コネクタ３０は、光コード付きのコネクタプラグ３１，３２と、これらのコネクタプラグ３１，３２同士を接続するアダプタ３３と、コネクタプラグ３１を収容する内側ハウジング３４と、コネクタプラグ３２及びアダプタ３３を収容する外側ハウジング３５とを備えている。
【００３６】
コネクタプラグ３１，３２は、図９に示すようにＬＣコネクタと称されるものである。コネクタプラグ３１，３２は、光コード７の光ファイバを保持するプラグ本体３６と、このプラグ本体３６を収容するハウジング３７とを有している。ハウジング３７の前部上面には、ハウジング３７の後方に向けて延在し、コネクタプラグ３１，３２をアダプタ３３に対してラッチするためのラッチアーム３８が固定されている。
【００３７】
アダプタ３３はハウジング３９を有し、このハウジング３９には、コネクタプラグ３１，３２とそれぞれ嵌合する２つのプラグ収容部４０が形成されている。各プラグ収容部４０の上部には、ラッチアーム３８が入り込むアーム収容部４１が形成されている。コネクタプラグ３１，３２がアダプタ３３に対してラッチされた状態では、アーム収容部４１の一部を形成するハウジング３９の上部内壁面にラッチアーム３８が係合する。この状態で、ラッチアーム３８をハウジング３７側に弾性変形させる（押し込む）と、アダプタ３３に対するコネクタプラグ３１，３２のラッチを解除することができる。
【００３８】
内側ハウジング３４は、コネクタプラグ３１をアダプタ３３に対して着脱するように外側ハウジング３５に着脱自在に支持される。内側ハウジング３４は、図１０に示すように断面略矩形状のハウジング本体４２を有し、このハウジング本体４２の内部には、コネクタプラグ３１が収容されている。ハウジング本体４２の前端側の開口４２ａは、アダプタ３３の外形に対応した矩形状を呈し、アダプタ３３の外形寸法よりも僅かに大きい寸法を有している。
【００３９】
ハウジング本体４２の後端側の開口４２ｂについては、上記の第１実施形態における内側ハウジング５のハウジング本体１２と同様である。ハウジング本体４２と光コード７のブーツ７ａとの間には、シール部材１３が介在されている。
【００４０】
ハウジング本体４２の上部には、ハウジング本体４２の後端側に延在し、内側ハウジング３４を外側ハウジング３５に対してラッチするためのラッチ片４３が結合されている。このラッチ片４３は、上記の第１実施形態におけるラッチ片１４と同じ構造の係止凹部１５及び押付部１６を有している。
【００４１】
ラッチ片４３の裏面には、ハウジング本体４２内に収容されたコネクタプラグ３１側に突出した係合突起４４が設けられている。この係合突起４４は、ラッチ片４３をハウジング本体４２側に弾性変形させたときにコネクタプラグ３１のラッチアーム３８を押し込むように構成されている（図１２参照）。
【００４２】
外側ハウジング３５の内部には、コネクタプラグ３２がアダプタ３３の一方のプラグ収容部４０に嵌合した状態で収容されている。外側ハウジング３５の前端側部分には、内側ハウジング３４が挿入・収容されるハウジング収容部４５が形成されている。外側ハウジング３５の前端側の開口３５ａは、内側ハウジング３４の外形に対応した矩形状を呈している。ハウジング収容部４５における内側ハウジング３４のハウジング本体４２が突き当たる部分において、外側ハウジング３５の内壁面とアダプタ３３との間には、ゴムまたはプラスチック等からなるシール部材４６が介在されている。外側ハウジング３５の前端部の上部内壁面には、ラッチ片４３の係止凹部１５に係合する係止凸部１９が設けられている。
【００４３】
外側ハウジング３５の後端側の開口３５ｂについては、上記の第１実施形態における外側ハウジング６と同様である。外側ハウジング３５と光コード７のブーツ７ａとの間には、シール部材２０が介在されている。
【００４４】
さらに、アダプタ３３のプラグ収容部４０において、コネクタプラグ３１のハウジング３７の先端が接触する部分には、シール部材４７が介在されている（図１１参照）。また、図１１に示すように、コネクタプラグ３１のハウジング３７内において、アダプタ３３のスリーブ（図示せず）の先端が接触する部分には、シール部材４８が介在されている。
【００４５】
コネクタプラグ３１，３２同士がアダプタ３３を介して接続されている状態において、コネクタプラグ３１をアダプタ３３から外すときは、図１２に示すように、まずラッチ片４３の押付部１６を指で押して、ラッチ片４３をハウジング本体４２側に弾性変形させることにより、外側ハウジング３５に対する内側ハウジング３４のラッチ状態を解除する。このとき、ラッチ片４３の弾性変形に連動して、ラッチ片４３の裏面に設けられた係合突起４４が下がり、この係合突起４４がコネクタプラグ３１のラッチアーム３８を押し下げる。
【００４６】
そして、その状態を保ったまま、図１３に示すように、内側ハウジング３４を指で掴んで外側ハウジング３５から引き抜く。このとき、コネクタプラグ３１のラッチアーム３８は係合突起４４により押し下げられており、アダプタ３３に対するコネクタプラグ３１のラッチが解除された状態となっているので、内側ハウジング３４が外側ハウジング３５から引き抜かれるのと同時に、コネクタプラグ３１がアダプタ３３から抜き出される。
【００４７】
以上のように本実施形態にあっては、既存のコネクタプラグ３１，３２及びアダプタ３３に加えて、ラッチ片４３を有する内側ハウジング３４と外側ハウジング３５とを設けたので、コネクタプラグ３１，３２同士がアダプタ３３を介して接続された状態において、防水性、防塵性及び耐引張り性に優れた光コネクタ３０を得ることができる。
【００４８】
また、ラッチ片４３の裏面に、外側ハウジング３５に対する内側ハウジング３４のラッチを解除する方向にラッチ片４３を弾性変形させたときにコネクタプラグ３１のラッチアーム３８を押し下げる係合突起４４を設けたので、アダプタ３３に対するコネクタプラグ３１の着脱と外側ハウジング３５に対する内側ハウジング３４の着脱とを一括して容易に行うことができる。
【００４９】
なお、本発明は、上記実施形態に限定されるものではない。例えば、上記実施形態において、光コード７を補強用被覆（例えば金属管、補強チューブ、ケーブル等）により外側から覆うようにしても良い。この場合には、光コネクタに外側から引張り力が加わったときに、補強用被覆内の光コード７には、あまり力がかからないようになる。
【００５０】
また、上記実施形態では、内側ハウジングのラッチ片に係止凹部１５を形成し、この係止凹部１５と係合する係止凸部１９を外側ハウジングに設ける構成としたが、外側ハウジングに係止凹部を形成し、内側ハウジングのラッチ片に係止凸部を設けても良い。
【００５１】
さらに、上記実施形態では、外側ハウジングを一体構造としたが、外側ハウジングの構造としては、例えば複数のハウジング部材からなる分離型のもの等であっても良い。
【００５２】
また、上記実施形態では、コネクタプラグとしてＳＣコネクタ及びＬＣコネクタを使用したが、本発明は、これら以外のコネクタプラグ、例えば複数連のＳＣ及びＬＣコネクタや、ＭＵコネクタ等にも適用可能である。
【図面の簡単な説明】
【００５３】
【図１】本発明に係る光コネクタの第１実施形態を示す断面図（一部側面図を含む）である。
【図２】図１に示すコネクタプラグ及びアダプタの斜視図である。
【図３】図２に示すコネクタプラグ及びアダプタの一部断面図である。
【図４】図１に示す内側ハウジングの斜視図である。
【図５】図１に示す外側ハウジングに対する内側ハウジングのラッチを解除した状態を示す断面図である。
【図６】図５に示すアダプタから一方のコネクタプラグを抜いた状態を示す断面図である。
【図７】図６に示すコネクタプラグを収容した状態の内側ハウジングの正面図である。
【図８】本発明に係る光コネクタの第２実施形態を示す断面図（一部側面図を含む）である。
【図９】図８に示すコネクタプラグ及びアダプタの斜視図である。
【図１０】図８に示す内側ハウジングの斜視図である。
【図１１】図９に示すコネクタプラグの一部断面図である。
【図１２】図８に示す外側ハウジングに対する内側ハウジングのラッチを解除した状態を示す断面図である。
【図１３】図１２に示すアダプタから一方のコネクタプラグを抜いた状態を示す断面図である。
【符号の説明】
【００５４】
１…光コネクタ、２…コネクタプラグ（第１コネクタプラグ）、３…コネクタプラグ（第２コネクタプラグ）、４…アダプタ、５…内側ハウジング（第１ハウジング）、６…外側ハウジング（第２ハウジング）、９ａ…ツマミ部、１４…ラッチ片、１５…係止凹部（係止部）、１７…係合突起、３０…光コネクタ、３１…コネクタプラグ（第１コネクタプラグ）、３２…コネクタプラグ（第２コネクタプラグ）、３３…アダプタ、３４…内側ハウジング（第１ハウジング）、３５…外側ハウジング（第２ハウジング）、３８…ラッチアーム、４３…ラッチ片、４４…係合突起。
【図１】
0004682754.tif 000002
【図２】
0004682754.tif 000003
【図３】
0004682754.tif 000004
【図４】
0004682754.tif 000005
【図５】
0004682754.tif 000006
【図６】
0004682754.tif 000007
【図７】
0004682754.tif 000008
【図８】
0004682754.tif 000009
【図９】
0004682754.tif 000010
【図１０】
0004682754.tif 000011
【図１１】
0004682754.tif 000012
【図１２】
0004682754.tif 000013
【図１３】
0004682754.tif 000014